(57)【要約】【課題】複数の扁平伝熱管を用いた熱交換器に対し、簡単な構成で冷媒の偏流を抑制でき、安価で熱交換性能の高い熱交換器を得る。【解決手段】熱交換器は、空気と接する複数のフィン４と、該フィンと接続された複数の扁平伝熱管３と、該扁平伝熱管の両端部が接続される少なくとも一対のヘッダ管２１，２２を備える。また、前記一対のヘッダ管の一方のヘッダ管から他方のヘッダ管へ流れる上流側流路と、この流路の上部に設けられ前記他方のヘッダ管に流入した冷媒を、この他方のヘッダ管から前記一方のヘッダ管に流す下流側流路を備え、上流側流路と下流側流路はそれぞれ複数の扁平伝熱管で構成され、上流側流路を構成する複数の扁平伝熱管の少なくとも一部と、下流側流路を構成する複数の扁平伝熱管の少なくとも一部とは、前記他方のヘッダ管への接続位置を、該ヘッダ管における通風方向の中心線に対して互いに反対方向にずらした構成としている。【選択図】図３
2015017738.tif 000002
【特許請求の範囲】
【請求項１】
空気と接する複数のフィンと、該フィンと接続された複数の扁平伝熱管と、該扁平伝熱管の両端部が接続される少なくとも一対のヘッダ管を備える熱交換器において、
前記一対のヘッダ管の一方のヘッダ管から他方のヘッダ管へ流れる上流側流路と、
この流路の上部に設けられ前記他方のヘッダ管に流入した冷媒を、この他方のヘッダ管から前記一方のヘッダ管に流す下流側流路を備え、
前記上流側流路と前記下流側流路はそれぞれ複数の扁平伝熱管で構成され、
前記上流側流路を構成する複数の扁平伝熱管の少なくとも一部と、前記下流側流路を構成する複数の扁平伝熱管の少なくとも一部とは、前記他方のヘッダ管への接続位置を、該ヘッダ管における通風方向の中心線に対して互いに反対方向にずらした構成としている
ことを特徴とする熱交換器。
【請求項２】
請求項１に記載の熱交換器において、冷媒の入口側に接続されたヘッダ管から他側のヘッダ管へ流すための複数の扁平伝熱管で構成された第１の流路と、前記第１の流路から前記他側のヘッダ管に流入した冷媒を、この他側のヘッダ管から更に反対側に配置されたヘッダ管へ流すための複数の扁平伝熱管で構成された第２の流路と、前記第２の流路から前記ヘッダ管に流入した冷媒を、このヘッダ管から、このヘッダ管とは反対側に配置されたヘッダ管へ流すための複数の扁平伝熱管で構成された第３の流路を備え、前記第２の流路と前記第３の流路を接続するヘッダ管における上流側流路を構成する複数の扁平伝熱管と、下流側流路を構成する複数の扁平伝熱管を、該ヘッダ管の中心線に対して互いに反対方向にずらして接続していることを特徴とする熱交換器。
【請求項３】
請求項１に記載の熱交換器において、冷媒の入口側に接続されたヘッダ管から他側のヘッダ管へ流すための複数の扁平伝熱管で構成された第１の流路と、前記第１の流路から前記他側のヘッダ管に流入した冷媒を、この他側のヘッダ管から更に反対側に配置されたヘッダ管へ流すための複数の扁平伝熱管で構成された第２の流路と、前記第２の流路から前記ヘッダ管に流入した冷媒を、このヘッダ管から、このヘッダ管とは反対側に配置されたヘッダ管へ流すための複数の扁平伝熱管で構成された第３の流路と、前記第３の流路からヘッダ管に流入した冷媒を、このヘッダ管から、このヘッダ管とは反対側に配置されたヘッダ管へ流すための複数の扁平伝熱管で構成された第４の流路を備え、前記第３の流路と前記第４の流路を接続するヘッダ管における上流側流路を構成する複数の扁平伝熱管と、下流側流路を構成する複数の扁平伝熱管を、該ヘッダ管の中心線に対して互いに反対方向にずらして接続していることを特徴とする熱交換器。
【請求項４】
請求項３に記載の熱交換器において、前記第４の流路はヘッダ管を介して冷媒の出口側に接続されており、この第４の流路の出口側と前記ヘッダ管との接続位置と、前記第３の流路の入口側とヘッダ管との接続位置は前記ヘッダ管の中心線に対して互いに反対方向にずらした構成とし、更に前記ヘッダ管内における前記第３の流路への入口側と前記第４流路からの出口側との間には仕切り板が設けられていることを特徴とする熱交換器。
【請求項５】
請求項１〜４の何れかに記載の熱交換器において、前記上流側流路を構成する扁平伝熱管と、前記下流側流路を構成する扁平伝熱管の前記ヘッダ管への接続位置を、該ヘッダ管における通風方向の中心線に対して互いに反対方向にずらす構成とする代わりに、
前記上流側流路を構成する扁平伝熱管と、前記下流側流路を構成する扁平伝熱管の前記ヘッダ管内における開口方向が該ヘッダ管における通風方向の中心線に対して互いに反対方向となるように、前記各扁平伝熱管に平面方向の曲げ加工を施していることを特徴とする熱交換器。
【請求項６】
請求項１〜４の何れかに記載の熱交換器において、前記上流側流路を構成する扁平伝熱管と、前記下流側流路を構成する扁平伝熱管の前記ヘッダ管への接続部を曲げ加工することにより、前記上流側流路を構成する複数の扁平伝熱管の少なくとも一部と、前記下流側流路を構成する複数の扁平伝熱管の少なくとも一部のヘッダ管への接続位置を、該ヘッダ管における通風方向の中心線に対して互いに反対方向にずらした構成としていることを特徴とする熱交換器。
【請求項７】
請求項１〜４の何れかに記載の熱交換器において、前記複数のフィンは短冊状のフィン構成され、該短冊状のフィンに貫通穴或いは切込みを設けて前記扁平伝熱管を差込んだ構成としていることを特徴とする熱交換器。
【発明の詳細な説明】
【技術分野】
【０００１】
本発明は、複数の扁平伝熱管と複数のフィンを備えた熱交換器に関し、特に空気調和機用の熱交換器として好適なものである。
【背景技術】
【０００２】
空気調和機の熱交換器としては、一般に、円形銅製伝熱管とアルミ製短冊状フィンとで構成されるクロスフィンチューブ型熱交換器が用いられている。また、前記円形銅製伝熱管内を流動させる流体としては、フロン系の冷媒が用いられている。
【０００３】
一方、小型軽量化、高性能、低コスト化を目的として、外表面にアルミ製フィンをロウ付けした複数の扁平伝熱管と、この複数の扁平伝熱管の両端開口部にそれぞれ設けたヘッダ管とを備え、冷媒を流動させる形態のパラレルフロー型の熱交換器がある。このパラレルフロー型の熱交換器は、自動車用のラジエタや冷房専用型のエアコンなどに広く利用されている。この種熱交換器としては特許文献１（特開平７―１２７９８９号公報）に記載されたものなどがある。
【０００４】
熱交換器の性能向上のためには、前記複数の扁平伝熱管にロウ付けされた全てのフィンの面積を有効に作用させることが有効である。このためには、前記ヘッダ管に接続された複数の扁平伝熱管のそれぞれに対し、適正な量の冷媒を流動させる必要がある。冷凍サイクルを構成している空気調和機用の熱交換器は、その内部で冷媒が蒸発や凝縮という相変化をしながら、つまり気液二相流となって流動する。このため、前記ヘッダ管内を流れる冷媒のうち、液成分（液冷媒）はガス成分（ガス冷媒）よりも密度が大きいため、流速によっては重力の影響を受け易い。特に、前記ヘッダ管が垂直方向に設けられている場合、該ヘッダ管内を流れる液冷媒は、重力の作用によりヘッダ管内の上方には流動し難い傾向がある。従って、前記ヘッダ管の上部に接続されている扁平伝熱管には、ヘッダ管の下部に接続されている扁平伝熱管に比較し、冷媒の液成分が少なくなるため、所定の熱交換熱量を確保できず、熱交換性能が低下する課題がある。
【０００５】
そこで、このような冷媒の偏流を改善するため、前記ヘッダ管内に螺旋溝を設けることでヘッダ管内の冷媒に旋回成分を与えるようにしたものが特許文献２（特開平５―２２３４９０号公報）に記載されている。この特許文献２のものでは、冷媒の質量速度や乾き度に応じて、効果的な旋回成分を得るため、直径の異なる複数のヘッダ管を用いている。しかしこの特許文献２のものでは、螺旋溝を内部に設けた複数のヘッダ管を用いる必要があるため、部品点数が多くなりコストアップする課題がある。
【０００６】
また、上記扁平伝熱管を用いた熱交換器において、前記冷媒の偏流を改善するようにした他の従来技術としては、特許文献３（特開２０１０―２５４３４号公報）に記載されたものもある。この特許文献３のものでは、ヘッダ管に接続する扁平伝熱管を傾斜させ、ヘッダ管内で液冷媒が下方に流れないように、ヘッダ管内における前記扁平伝熱管の傾斜面に旋回した冷媒を当てることで、上向きの流れを得るようにしたものである。しかし、この特許文献３に記載のものでは、扁平伝熱管を傾斜させてヘッダ管に接続しているため、熱交換器の平面に対して垂直方向に空気を流動させる場合の通風抵抗が増大し、送風動力が増加して熱交換性能が低下する。また、扁平伝熱管を斜めに設ける加工も複雑となり、コストアップする。なお、前記扁平伝熱管をヘッダ管から所定距離だけ離れた位置からその端部にかけて捩じるようにしたものでは、扁平伝熱管の加工が難しくコストアップし、更に前記扁平伝熱管におけるヘッダ管から前記所定距離だけ離れた位置までの捩じられた部分の通風抵抗は依然として大きいという課題がある。
【先行技術文献】
【特許文献】
【０００７】
【特許文献１】特開平７―１２７９８９号公報
【特許文献２】特開平５―２２３４９０号公報
【特許文献３】特開２０１０―２５４３４号公報
【発明の概要】
【発明が解決しようとする課題】
【０００８】
上述したように特許文献１に記載されているような扁平伝熱管を用いたパラレルフロー型の熱交換器では、ヘッダ管内を流れる液冷媒は、重力の作用によりヘッダ管内の上方には流動し難いため、上部（下流側）に設けられた複数の扁平伝熱管の間で冷媒の偏流が生じ易く、熱交換性能が低下するという課題がある。
【０００９】
この冷媒偏流を改善するため、上記特許文献２や３に記載されたものもあるが、螺旋溝を内部に有し直径の異なる複数のヘッダ管を用いるようにしたものでは、部品点数が多くなりコストアップする課題がある。また、ヘッダ管に接続する扁平伝熱管を傾斜させ、ヘッダ管内で液冷媒が下方に流れないように、ヘッダ管内における扁平伝熱管の傾斜面に旋回した冷媒を当てるようにしたものでは、通風抵抗が増大するため熱交換性能が低下し、コストアップする課題もある。
【００１０】
本発明の目的は、複数の扁平伝熱管を用いた熱交換器に対し、簡単な構成で冷媒の偏流を抑制でき、安価で熱交換性能の高い熱交換器を得ることにある。
【課題を解決するための手段】
【００１１】
上記目的を達成するため、本発明は、空気と接する複数のフィンと、該フィンと接続された複数の扁平伝熱管と、該扁平伝熱管の両端部が接続される少なくとも一対のヘッダ管を備える熱交換器において、前記一対のヘッダ管の一方のヘッダ管から他方のヘッダ管へ流れる上流側流路と、この流路の上部に設けられ前記他方のヘッダ管に流入した冷媒を、この他方のヘッダ管から前記一方のヘッダ管に流す下流側流路を備え、前記上流側流路と前記下流側流路はそれぞれ複数の扁平伝熱管で構成され、前記上流側流路を構成する複数の扁平伝熱管の少なくとも一部と、前記下流側流路を構成する複数の扁平伝熱管の少なくとも一部とは、前記他方のヘッダ管への接続位置を、該ヘッダ管における通風方向の中心線に対して互いに反対方向にずらした構成としていることを特徴とする。
【発明の効果】
【００１２】
本発明によれば、複数の扁平伝熱管を用いた熱交換器に対し、簡単な構成で冷媒の偏流を抑制でき、安価で熱交換性能の高い熱交換器を得ることができる効果がある。
【図面の簡単な説明】
【００１３】
【図１】本発明の熱交換器の実施例１を示す縦断面図。
【図２】図１に示す扁平伝熱管の断面図。
【図３】図１に示す熱交換器におけるＡ−Ａ線、Ｂ−Ｂ線、Ｃ−Ｃ線、Ｄ−Ｄ線における矢視断面図。
【図４】図１に示すヘッダ管を図１のIV−IV線矢視方向から見た図で、扁平伝熱管のヘッダ管への接続位置を説明する図。
【図５】本発明の実施例１と従来の熱交換器におけるヘッダ管内の冷媒の流れを説明する図。
【図６】本発明の熱交換器の実施例２を説明する図で、ヘッダ管と扁平伝熱管との接続部の構成を示す水平方向の断面図。
【図７】本発明の熱交換器の実施例３を説明する図で、ヘッダ管と扁平伝熱管との接続部の構成を示す水平方向の断面図。
【図８】本発明の熱交換器の実施例４を説明する図で、ヘッダ管と扁平伝熱管との接続部の構成を示す水平方向の断面図。
【図９】本発明の熱交換器の実施例５を示す図で、熱交換器における扁平伝熱管とフィンとの接続構成を説明する図。
【図１０】本発明の熱交換器の実施例６を説明する図で、図４に相当する部分の図。
【図１１】本発明の熱交換器の実施例７を説明する図で、熱交換器におけるヘッダ管の部分を示す図。
【図１２】従来の熱交換器の構成を説明する図で図３の（Ａ）または（Ｂ）に相当する図。
【図１３】熱交換器を蒸発器として作用させる場合の熱交換器内の冷媒の状態を説明する図。
【発明を実施するための形態】
【００１４】
以下、本発明の熱交換器の具体的実施例を図面に基づいて説明する。各図において、同一符号を付した部分は同一或いは相当する部分を示している。
【実施例１】
【００１５】
本発明の熱交換器の実施例１を図１〜図５により説明する。  
図１は、本実施例が対象とするパラレルフロー型の熱交換器を示す縦断面図である。熱交換器１は、重力方向に平行に複数並んだ扁平伝熱管３で、この扁平伝熱管３には複数のアルミ製のフィン４がロウ付けにより固着されている。前記扁平伝熱管３の両端は、一対のヘッダ管、即ち第１のヘッダ管２１と第２のヘッダ管２２との間にロウ付けにより固着されている。
【００１６】
前記第１のヘッダ管２１には、冷媒の入口管２５と出口管２６が取付けられている。前記第１のヘッダ管２１と第２のヘッダ管２２のそれぞれの内部には、空間を仕切る仕切り板２４ａ，２４ｂ，２４ｃが図に示すように設けられている。
【００１７】
前記複数の扁平伝熱管３のそれぞれは、図２に示すような構成となっている。即ち、扁平伝熱管３は、アルミニウム製で、押出し加工などにより複数に仕切られた冷媒流路３１が形成されている。なお、冷媒流路３１の形状は図２に示すような矩形の他に、円形や楕円形などでも良い。また、前記冷媒流路３１内にフィンを設けることも可能であり、例えば冷媒流路を１つの横長の孔に形成して、この孔にコルゲート状のフィンを設けることにより、複数の冷媒流路を形成するようにした扁平伝熱管としても良い。
【００１８】
図１における熱交換器１において、空気などの通風方向は紙面の垂直方向である。また、冷媒は、白抜きの矢印で示す冷媒の流れ５２で示すように、前記入口管２５から前記第１のヘッダ管２１に入り、扁平伝熱管３で構成された第１の流路５２ａを通って前記第２のヘッダ管２２に入り、ここから第２の流路５２ｂを流れて前記第１のヘッダ管２１に入り、以下同様に第３の流路５２ｃ、第４の流路５２ｄを通って、前記第１のヘッダ管２１に設けられた前記出口管２６から流出するように構成されている。そして、前記扁平伝熱管３内を流れる冷媒と、フィン４間を流れる空気との間で熱交換を行うように構成されている。
【００１９】
なお、前記仕切り板２４ａは、前記第１流路５２ａへの入口側と前記第２流路５２ｂ出口側を仕切るように前記第１ヘッダ管２１内に設けられている。前記仕切り板２４ｂは、前記第２流路５２ｂへの入口側と前記第３流路５２ｃ出口側を仕切るように前記第２ヘッダ管２２内に設けられている。前記仕切り板２４ｃは、前記第３流路５２ｃへの入口側と前記第４流路５２ｄ出口側を仕切るように前記第１ヘッダ管２１内に設けられている。
【００２０】
冷凍サイクルを構成している空気調和機における冷媒は、暖房条件では、室外熱交換器が蒸発器、室内熱交換器が凝縮器として作用する。冷房条件では、冷媒は逆向きに流れ、室外熱交換器が凝縮器、室内熱交換器が蒸発器として作用する。
【００２１】
熱交換器１が蒸発器として作用する場合の該熱交換器１内を流れる冷媒の状態を説明する。冷凍サイクルの膨張弁（図示せず）を通過した後の乾き度の低い飽和温度の冷媒は、前記入口管２５から前記ヘッダ管２１内に流入し、熱交換器１の下部に位置する第１の流路５２ａの複数扁平伝熱管３内を流れる。熱交換器１内の冷媒は、前記ヘッダ管２１，２２内に設けた前記仕切り板２４ａ、２４ｂ、２４ｃより、前記ヘッダ管２１とヘッダ管２２の間を折り返しながら流れ、該熱交換器１に通風される空気との間で熱交換することにより蒸発し、乾き度を高めながら流れる。そして、冷媒は、最終的に前記ヘッダ管２１の出口管２６から熱交換器１の外部に流出するように構成されている。
【００２２】
前記熱交換器１が凝縮器として作用する場合の該熱交換器１内の冷媒の流れは、蒸発器として作用する場合とは逆向きに流れる。また、凝縮器として作用する場合、冷媒は、熱交換器１の入口部分では過熱ガス状態で流れ、空気との熱交換による凝縮作用により液化し、熱交換器内を流れる冷媒の大部分は飽和域となり、液化が進んで、熱交換器１の出口近傍では完全な液状態（過冷却の状態）となる。
【００２３】
前記熱交換器を蒸発器として作用させる場合の熱交換器１内の冷媒の状態を図１３により更に詳しく説明する。  
図１３の（Ａ）図は、熱交換器における各扁平伝熱管３に冷媒が適正に流動されない場合を説明する図である。網掛けして示す５３の部分は、冷媒が飽和温度（飽和域）となっている領域で、この飽和域（飽和温度）の冷媒は、熱伝達率が比較的高く熱交換に寄与する。熱交換器１の出口近傍では、５４で示すように、冷媒は過熱ガスの領域（過熱ガス域）となる。各扁平伝熱管３に冷媒が適正に流動されない場合、（Ａ）図に示すように、過熱ガス域５４が、第４流路５２ｄにおける出口のかなり手前から特定の扁平伝熱管３に現れる。即ち、第４流路５２ｄを構成する複数の扁平伝熱管３のうち上方に配置された扁平伝熱管３ほど、過熱ガス域５４が第４流路５２ｄの出口側から入口側に向かってより広がっている。
【００２４】
この過熱ガス域５４では、冷媒中の液成分が無くなっている状態であり、飽和域５３の液冷媒に比べて熱交換に寄与し難い。また、前記第４流路５２ｄを構成する複数の扁平伝熱管３のうち下方に配置された扁平伝熱管３ほど液冷媒の割合が多くなり、（Ａ）図に示すように、第４流路５２ｄの出口側まで液冷媒が存在することになる。このため、冷凍サイクルの圧縮機（図示せず）に供給される冷媒の液成分が増加し、圧縮機が液圧縮となる可能性が生じる。従って、熱交換器１の出口近傍では、圧縮機への液冷媒の流動による液圧縮を防止するため、過熱ガス状態にする必要がある。この過熱ガス状態にするためには、蒸発温度（蒸発圧力）を下げることで過熱ガス域を確保することが可能であるが、圧縮機動力が増加するという課題が生じる。
【００２５】
図１３の（Ｂ）図は、熱交換器１における各扁平伝熱管３に冷媒が適正に流れ、冷媒の流動状態が理想的になっている場合を説明する図である。この理想的な状態では、この（Ｂ）図に示すように、過熱ガス域５４が、第４流路５２ｄにおける出口近くになった位置で、第４流路５２ｄを形成している複数の扁平伝熱管３の揃った位置から生じている。従って、冷凍サイクルの圧縮機に供給される冷媒の液成分を無くすか、より少なくすることができ、圧縮機が液圧縮となるのを抑制することができる。また、より高い蒸発温度（蒸発圧力）で冷凍サイクルを動作させることも可能となるから圧縮機動力の増加も抑制できる。
【００２６】
上記（Ｂ）図の状態にするためには、各流路を構成する複数の扁平伝熱管３に流れる液冷媒の量をできるだけ均等にすることが必要である。そこで、各流路を構成する複数の扁平伝熱管３に流れる液冷媒の量をできるだけ均等にするための本実施例を次に説明する。
【００２７】
まず、従来の熱交換器の構成を図１を参照しつつ、図１２により説明する。従来の熱交換器も上述した図１に示した熱交換器とほぼ同様の構成となっている。即ち、従来の熱交換器においても、空気と接する複数のフィンと４と、該フィン４と接続された複数の扁平伝熱管３と、該扁平伝熱管３の両端部が接続され水平断面が円形状の第１のヘッダ管２１及び第２のヘッダ管２２を備えている。また、前記扁平伝熱管３は図１２の紙面垂直方向に複数個設置されている。
【００２８】
従来の熱交換器において、特徴的なところは、図１２に示すように、前記第１ヘッダ管２１及び第２ヘッダ管２２における通風方向５１の中心線Ｘと、前記扁平伝熱管３における中心線Ｍが一致するように、前記扁平伝熱管３と、前記第１ヘッダ管２１及び第２ヘッダ管２２が接続されていることである。即ち、第１ヘッダ管２１及び第２ヘッダ管２２における通風方向５１の中心線Ｘと、前記扁平伝熱管３の中心線Ｍが、加工精度の範囲でほぼ一致するように構成されているものである。従って、第１〜第４流路５２ａ〜５２ｄの各流路において、気液二相状態の冷媒のうち、液冷媒は重力の影響で下方の扁平伝熱管３に流れ易く、ガス冷媒は上方の扁平伝熱管３に流れ易くなる。このため、ガス冷媒の割合が多くなる下流側の流路ほど、該流路を構成している複数の扁平伝熱管３への液冷媒の流入量が不均一となり易く、熱交換器内の冷媒の状態は上記図１３（Ａ）で説明したような状態になってしまう。
【００２９】
これに対し、上記図１３の（Ｂ）図に示すように、冷媒の流動状態を理想的にできる本実施例の熱交換器の構造を図３及び図４により説明する。図３は図１に示す熱交換器におけるＡ−Ａ線、Ｂ−Ｂ線、Ｃ−Ｃ線、Ｄ−Ｄ線における矢視断面図で、（Ａ）図は図１におけるＡ−Ａ線またはＣ−Ｃ線の矢視断面図、（Ｂ）図は図１におけるＢ−Ｂ線またはＤ−Ｄ線の矢視断面図、図４は図１に示すヘッダ管を図１のIV−IV線矢視方向から見た図で、扁平伝熱管のヘッダ管への接続位置を説明する図である。
【００３０】
図３において、Ｘは第１ヘッダ管２１及び第２ヘッダ管２２における通風方向５１の中心線、Ｍは扁平伝熱管３の中心線（通風方向における中心線）である。
【００３１】
図３の（Ａ）図に示すように、図１における第１の流路５２ａと第３の流路５２ｃを構成する扁平伝熱管３は、該扁平伝熱管３の中心線Ｍが、第１ヘッダ管２１及び第２ヘッダ管２２における通風方向５１の中心線Ｘに対し、前記ヘッダ管２１，２２の内寸法の範囲内で、通風方向（空気の流れ方向）５１の下流側にずらして、前記各ヘッダ管２１，２２に接続されている。
【００３２】
また、図３の（Ｂ）図に示すように、図１における第２の流路５２ｂと第４の流路５２ｄを構成する扁平伝熱管３は、該扁平伝熱管３の中心線Ｍが、第１ヘッダ管２１及び第２ヘッダ管２２における通風方向５１の中心線Ｘに対し、前記ヘッダ管２１，２２の内寸法の範囲内で、通風方向５１の上流側にずらして、前記各ヘッダ管２１，２２に接続されている。
【００３３】
図４により、垂直方向に配置されている前記第１のヘッダ管２１における前記扁平伝熱管３の接続位置（扁平伝熱管３のヘッダ管２１での開口取付け位置）を説明する。図４は図１のIV−IV線矢視方向から見た図で、図１に示す第２の流路５２ｂ〜第４の流路５２ｄの部分における扁平伝熱管３の第１ヘッダ管２１との接続位置（開口位置）を示している。また、第２〜第４の各流路での冷媒の流れ方向も示している。更に、第１ヘッダ管２１内の各部における渦巻の方向も図示している。
【００３４】
この図４に示すように、同一方向に冷媒が流動する各流路では、各流路を構成している複数の扁平伝熱管３は、第１ヘッダ管２１に対して同じ側に偏って取り付けられている。このため、第１ヘッダ管２１内には同一方向の旋回流（旋回上昇流）５２１が生じる。その結果、液冷媒に作用する重力よりも大きな旋回上昇流５２１の作用により、液冷媒が巻き上げられ、第１ヘッダ管２１の上方にガス冷媒と共に液冷媒も移送できる。
【００３５】
また、本実施例では、上流側流路（図４では第２流路５２ｂ）を構成する複数の扁平伝熱管３と、下流側流路（図４では第３流路５２ｃ）を構成する複数の扁平伝熱管３とは、図４に示すように、第１ヘッダ管２１への接続位置を、該第１ヘッダ管２１における通風方向の中心線に対して互いに反対方向にずらしている。即ち、第２の流路を構成する扁平伝熱管３は通風方向の上流側に、第３の流路を構成する扁平伝熱管３は通風方向の下流側にずらして第１ヘッダ２１に接続しているので、第１ヘッダ管２１内において、第２流路５２ｂから流入する冷媒の旋回方向と、第３流路５２ｃへ流入する冷媒の旋回方向が一致し、前記旋回上昇流５２１の強さをより上方まで維持することができる。この結果、液冷媒をガス冷媒と共に上方に送ることができるから、上流側流路からヘッダ管内に流入してきた液冷媒も下流側流路を構成している複数の扁平伝熱管３により均一に流入させることができる効果が得られる。
【００３６】
なお、図４では第１のヘッダ管２１側の構成についてのみ述べたが、第２のヘッダ管２２側も同様の構成となっており、上記した効果と同様の効果を得ることができる。  
即ち、前記第３の流路５２ｃと前記第４の流路５２ｄを接続する第２のヘッダ管２２における上流側流路を構成する複数の扁平伝熱管３と、下流側流路を構成する複数の扁平伝熱管３を、該第２ヘッダ管２２の中心線に対して互いに反対方向にずらして接続する。特に、前記第３流路５２ｃと第４流路５２ｄは乾き度が大きくなって液冷媒の割合が少なくなるので、第４流路５２ｄを構成する複数の扁平伝熱管３に液冷媒を均等に分配することはより困難になるが、本実施例のように構成することにより、より均一に液冷媒を分配することが可能になる。
【００３７】
また、前記第１の流路５２ａと前記第２の流路５２ｂを接続する第２のヘッダ管２２における上流側流路を構成する複数の扁平伝熱管３と、下流側流路を構成する複数の扁平伝熱管３を、該第２ヘッダ管２２の中心線に対して互いに反対方向にずらして接続するように構成しても良い。
【００３８】
なお、本実施例では、仕切り板２４ｃを介して隔てられた第１ヘッダ管２１内における第４流路５２ｄの出口側と前記ヘッダ管２１との接続位置と、前記第３の流路５２ｃの入口側とヘッダ管２１との接続位置は、前記ヘッダ管２１における通風方向５１の中心線Ｘに対して互いに反対方向にずらした構成となっている。他の仕切り板２４ａ，２４ｂ，２４ｄの部分における上流側流路と下流側流路の各ヘッダ管との接続位置も、各ヘッダ管における通風方向の中心線Ｘに対して互いに反対方向にずらした構成となっている。
【００３９】
図５は、本実施例１と従来の熱交換器におけるヘッダ管内の冷媒の流れを説明する図で、ヘッダ管内の冷媒の流れを解析した結果を模式的に示している図である。なおこの解析では、冷媒を均質流の扱いで単相流として行ったものである。従来の熱交換器における冷媒の流線を図５の（Ａ）図に、本実施例における流線を図５の（Ｂ）図に示す。
【００４０】
（Ａ）図に示す従来の熱交換器においては、冷媒が各扁平伝熱管３からヘッダ管２２内に吹き出し、ヘッダ管２２から上部側の扁平伝熱管３へ流れる冷媒の流れ（流線５２２）に規則性はない。また、ヘッダ管２２の上部に到達する流線５２２は少なくなっている。
【００４１】
一方、本実施例における熱交換器の場合、（Ｂ）図に示すように、ヘッダ管２２内に速度の大きい旋回流５２１が生じており、またヘッダ管２２の上部まで旋回流５２１が到達していることがわかる。即ち、熱交換器を本実施例の構造とすることにより、下流側流路を形成している複数の扁平伝熱管３に、冷媒（特に液冷媒）をより均一に分配することができるから、熱交換器１内を、図１３の（Ｂ）図に示すような状態で冷媒を流すことが可能となる。従って、本実施例によれば、複数の扁平伝熱管３を用いつつ、簡単な構成で冷媒の偏流を抑制でき、安価で熱交換性能の高い熱交換器を得ることができる効果が得られる。
【実施例２】
【００４２】
本発明の熱交換器の実施例２を図６により説明する。図６において、（Ａ）図は第１ヘッダ管２１における第２流路５３ｂからの流出部を示す水平方向の断面図、（Ｂ）図は第１ヘッダ管２１における第３流路５３ｃへの流入部を示す水平方向の断面図である。なお、（Ｂ）図においては扁平伝熱管３の入口部分を断面にして示している。
【００４３】
この実施例２は、第１ヘッダ管２１に接続される扁平伝熱管３の端部開口部を扁平伝熱管の面方向、即ち同一平面上で「く」字状に曲げ加工して構成しているものである。更に詳しくは、第２流路５２ｂ（上流側流路）を構成する扁平伝熱管３と、第３流路５２ｃ（下流側流路）を構成する扁平伝熱管３の第１ヘッダ管２１との接続部において、前記第１ヘッダ管２１内における扁平伝熱管３の開口方向が、該ヘッダ管の中心線に対して互いに反対方向となるように、前記各扁平伝熱管３に水平面方向の曲げ加工を施す構成としたものである。
【００４４】
このように構成することにより、（Ａ）図に示すように、第２流路５２ｂから第１ヘッダ管２１内に流出した冷媒はヘッダ管２１の内面に沿って旋回し、旋回流５２１となって冷媒の流動方向である上方に流れる。この上方に流れた冷媒は（Ｂ）図に示すように、旋回流５２１の旋回方向に沿って形成されている第３流路５２ｃを構成している扁平伝熱管３の流入部から扁平伝熱管３内にスムーズに流入させることができる。
【００４５】
従って、本実施例のように構成することによっても、上記実施例１と同様の旋回流５２１を発生させることができ、下流側流路を形成している複数の扁平伝熱管３に、冷媒をより均一に分配することができる。従って、熱交換器１内を、図１３の（Ｂ）図に示すような状態で冷媒を流すことが可能となり、上記実施例１と同様の効果を得ることができる。
【００４６】
しかも、本実施例２によれば、上流側流路（本実施例では第２流路５２ｂ）を構成する扁平伝熱管３と、下流側流路（本実施例では第３流路５２ｃ）を構成する扁平伝熱管３のヘッダ管（本実施例では第１ヘッダ管２１）内における開口方向が該ヘッダ管の中心線に対して互いに反対方向となるように、前記各扁平伝熱管の端部に平面方向の曲げ加工する構成としているので、以下の効果もある。即ち、各流路を構成する扁平伝熱管３自体は、ヘッダ管の中心線に対して互いに反対方向にずらした構成にする必要がなくなり、下部側の扁平伝熱管３から上部側の扁平伝熱管３まで、通風方向に位置を揃えて、例えばヘッダ管の中心線に揃えて設置することが可能になり、フィン４に形成する貫通孔（扁平伝熱管３を貫通させるための貫通孔）の位置を揃えることができるので、加工、組立が容易となり、しかも見栄えも良い熱交換器を得ることができる。
【００４７】
なお、図６では、第１ヘッダ管２１側における第２流路５３ｂからの流出部及び第３流路５３ｃへの流入部について説明したが、第４流路５２ｄからの流出部も上記（Ａ）図と同様の構成になっており、第２ヘッダ管２２側も上述した第１ヘッダ管２１側と同様の構成となっている。
【実施例３】
【００４８】
本発明の熱交換器の実施例３を図７により説明する。図７において、（Ａ）図は第１ヘッダ管２１における第２流路５３ｂからの流出部を示す水平方向の断面図、（Ｂ）図は第１ヘッダ管２１における第３流路５３ｃへの流入部を示す水平方向の断面図である。なお、（Ｂ）図においては扁平伝熱管３の入口部分の一部を断面にして示している。
【００４９】
本実施例３は、第１ヘッダ管２１に接続される扁平伝熱管３の端部を、図７に示すように、水平面方向に曲げ加工し、この扁平伝熱管３におけるヘッダ管２１内の端部３ａは、フィン４が設けられている部分（フィン付部）３ｂと平行になるように構成しているものである。
【００５０】
即ち、本実施例３においても、上記実施例２と同様に、第２流路５２ｂ（上流側流路）を構成する扁平伝熱管３と、第３流路５２ｃ（下流側流路）を構成する扁平伝熱管３の第１ヘッダ管２１との接続部において、前記第１ヘッダ管２１内における扁平伝熱管３の開口方向が、該ヘッダ管の中心線に対して互いに反対方向となるように、各扁平伝熱管３を曲げ加工しているものである。
【００５１】
なお、本実施例３においては、扁平伝熱管端部３ａのヘッダ管への接続位置は、（Ａ）（Ｂ）図に示すように、上記実施例１と同様、ヘッダ管２１における通風方向の中心線に対して互いに反対方向にずらした構成となっている。この実施例３のように構成しても上記実施例１や２と同様の効果を得ることができる。
【実施例４】
【００５２】
本発明の熱交換器の実施例４を図８により説明する。図８において、（Ａ）図は第１ヘッダ管２１における第２流路５３ｂからの流出部を示す水平方向の断面図である。（Ｂ）図は、上記実施例１における前記（Ａ）図と同じ部分の水平方向の断面図で、本実施例４を実施例１と比較して示すための図である。
【００５３】
（Ｂ）図に示す実施例１の場合、扁平伝熱管３は押し出し成型で製造された押出管となっており、扁平伝熱管３の一端から他端まで同一の断面形状となっている。また、扁平伝熱管内の冷媒流路３１も一端から他端まで形成されている。
【００５４】
これに対し、（Ａ）図に示す本実施例４の扁平伝熱管３は、１つの矩形状の貫通穴を持つアルミ製のケース部材３２と、このケース部材３２の貫通穴にインナーフィン３３を設けることにより複数の冷媒流路３１を形成しているインナーフィン型とした場合を示している。このように扁平伝熱管３をインナーフィン型として構成することもでき、実施例１の押出管の場合と同様の効果を得ることができる。また、このようなインナーフィン型とした場合、扁平伝熱管３の端部開口部側に、インナーフィンのない空間部３４を設けることが可能となる。従って、この空間部３４を、（Ａ）図に示すように、ヘッダ管２１の内壁に向かう方向に絞ることで、ヘッダ管の内壁方向に冷媒を流出させることができ、しかも絞った分だけ流出する冷媒流速を大きくすることができるので、ヘッダ管２１内に更に強い旋回流５２１を発生させることもできる効果が得られる。従って、液冷媒をより均一に分配することができ、冷媒の偏流を更に抑制して、熱交換性能の高い熱交換器を得ることができる。
【００５５】
なお、第１、第２ヘッダ管２１，２２における他の扁平伝熱管３との接続部分についても同様の構成にすることができる。但し、第２〜第４流路を構成する扁平伝熱管３の流入部側については、前記空間部３４に絞りを設けないようにした方が、冷媒の流入をスムーズにできる。即ち、本実施例４においては、扁平伝熱管３自体を、上記実施例１と同様に、ヘッダ管２１における通風方向の中心線に対してずらした構成としているので、前記空間部３４に絞りを設けることは必須ではない。
【実施例５】
【００５６】
本発明の実施例５を図９により説明する。図９は扁平伝熱管とフィンとの接続構成を説明する図で、（Ａ）図は、フィンを短冊状とし、この短冊状フィンに貫通穴４１ａを設けて扁平伝熱管３を差込む構成とした貫通型フィン４１を示す図、（Ｂ）図は、短冊状のフィンの一方端に切込み４２ａを設け、この切込み４２ａに扁平伝熱管３を差込む構成とした差込型フィン４２を示す図、（Ｃ）図は、山谷状（つづら状）に折り曲げられたコルゲートフィンを、上下に隣り合う扁平伝熱管３の間に差込む構成としたコルゲート型フィン４３を示す図である。
【００５７】
これら（Ａ）〜（Ｃ）図に示すように、本実施例においては、上下方向の各流路を構成する全ての扁平伝熱管３を同じフィンに取り付けるため、上記第１〜第４の各流路毎に、ヘッダ管２１，２２への接続位置を、該ヘッダ管における通風方向の中心線に対して互いに反対方向にずらすことができるように、（Ａ）図では貫通孔４１ａの位置を、前記流路毎に図の左右方向にずらしており、（Ｂ）図では前記切込み４２ａの形状は全て同様に構成しているが、扁平伝熱管３の設置位置を図の左右方向にずらしている。また、（Ｃ）図では、前記流路毎に、コルゲートフィン４３ａを介して、図の左右方向にずらすように構成している。
【００５８】
このように構成することにより、前記（Ａ）〜（Ｃ）の下段に示す図のように、各ヘッダ管２１，２２において、各図に示すように旋回流を形成することができる。即ち、上記（Ａ）〜（Ｃ）図に示すように、これらの何れの型のフィンとしても、上述した本発明の各実施例を実現することが可能である。  
なお、上記（Ａ）〜（Ｃ）図に示す何れの型のフィンにおいても、フィンと扁平伝熱管３とを組み立てた後、これらをロウ付けなどにより一体に固着して製造することができる。
【実施例６】
【００５９】
本発明の実施例６を図１０により説明する。図１０は、上述した図４に相当する部分の図である。  
上述した図１〜図９に示す各実施例においては、第１〜第４の各流路毎に、各流路を構成する複数の扁平伝熱管３の全てを、ヘッダ管２１，２２における通風方向の中心線に対し、流路毎に、互いに反対方向にずらす構成とした例を説明した。これに対し、図１０に示す実施例６では、各流路を構成する複数の扁平伝熱管３の全てを揃えて一方側にずらすのではなく、各流路を構成する複数の扁平伝熱管３のうちの一部だけを一方側にずらす構成としたものである。
【００６０】
即ち、図１０に示す例では、第３の流路５２ｃを構成している８本の扁平伝熱管３のうち、最上部と最下部の扁平伝熱管３についてはずらさず、他の６本の扁平伝熱管３のみを一方側にずらす構成としているものである。  
なお、第２流路５２ｂ及び第４流路５２ｄについても同様の構成にしている。また、図１０は第１ヘッダ管２１側について図示しているが、第２ヘッダ管２２側も同様の構成となっている。
【００６１】
以上説明したように、ヘッダ管に接続する扁平伝熱管の取付け位置を調整する構成とすることにより、ヘッダ管２１，２２内に生じる旋回流の強さを調節することができ、この旋回流の強さを調節することで、各扁平伝熱管３に均等に液冷媒を分配することが可能になる。また、熱交換器を構成する複数の扁平伝熱管３に対する風速分布に応じて、部分的に適正な冷媒量が異なる場合には、それに応じて分配量の適正化を図ることもできる。
【実施例７】
【００６２】
本発明の実施例７を図１１により説明する。図１１は本実施例の熱交換器における第１ヘッダ管の部分を示す図で、（Ａ）図は、第１ヘッダ管における入口管が接続されている下部の部分から第３流路の部分までの構成を示す側面図、（Ｂ）図はその正面図である。
【００６３】
本実施例７では、第１ヘッダ管２１に接続される冷媒の入口管２５は、前記第１ヘッダ管２１の最下部に接続されており、また前記ヘッダ管２１における通風方向５１の中心線Ｘに対して一方の側（（Ａ）図では右側）に連通させている。第１の流路５２ａを構成する扁平伝熱管３も前記中心線Ｘに対して前記入口管２５と同じ側にずらして設置されている。
【００６４】
なお、本実施例７では第２の流路５２ｂを構成する扁平伝熱管３は前記中心線Ｘに対して左側に、第３の流路５２ｃを構成する扁平伝熱管３は前記中心線Ｘに対して右側にずらして設置されている。
【００６５】
このように、第１ヘッダ管２１に対して扁平伝熱管３を一方の側に偏って接続すると同時に、冷媒の入口管２５も冷媒が同一旋回方向になるように第１ヘッダ管２１に接続しているので、冷媒入口部のヘッダ管内にも旋回流を発生させることができ、扁平伝熱管３へより均等に冷媒を流入させることができる。
【００６６】
本実施例７においては、第１ヘッダ管２１側についてのみ説明したが、第２ヘッダ管２２（図１参照）側についても、扁平伝熱管３の接続位置は、第１ヘッダ管２１における扁平伝熱管３の偏り方向に対応するように、前記中心線Ｘに対して偏って第２ヘッダ管２２に接続されている。
【００６７】
以上説明したように、本発明の熱交換器の各実施例によれば、一対のヘッダ管の一方のヘッダ管から他方のヘッダ管へ流れる上流側流路と、この流路の上部に設けられ前記他方のヘッダ管に流入した冷媒を、この他方のヘッダ管から前記一方のヘッダ管に流す下流側流路を備え、前記上流側流路と前記下流側流路はそれぞれ複数の扁平伝熱管で構成され、前記上流側流路を構成する複数の扁平伝熱管の少なくとも一部と、前記下流側流路を構成する複数の扁平伝熱管の少なくとも一部とは、前記他方のヘッダ管への接続位置を、該ヘッダ管における通風方向の中心線に対して互いに反対方向にずらした構成としているので、複数の扁平伝熱管を用いた熱交換器に対し、簡単な構成で冷媒の偏流を抑制することができ、安価で熱交換性能の高い熱交換器を得ることができる。
【００６８】
即ち、本実施例によれば、第１、第２のヘッダ管内に冷媒流速の大きな旋回流を発生させることができるので、各ヘッダ管の上方まで液冷媒を流動させることができ、熱交換器の各扁平伝熱管に対し、適正な冷媒量を流入させることができるから、熱交換器の全範囲に亘って有効に熱交換に利用できる効果が得られる。特に、パラレルフロー型に構成された本実施例の熱交換器を、空気調和機の蒸発器に採用することにより、特に大きな効果が得られる。
【００６９】
なお、本発明は上記した実施例に限定されるものではなく、様々な変形例が含まれる。また、上記した実施例は本発明で分かりやすく説明するために詳細に説明したものであり、必ずしも説明した全ての構成を備えるものに限定されるものではない。更に、ある実施例の構成の一部を他の実施例の構成に置き換えることが可能であり、また、ある実施例の構成に他の実施例の構成を加えることも可能である。
【符号の説明】
【００７０】
１：熱交換器、
２１，２２：ヘッダ管（２１：第１のヘッダ管、２２：第２のヘッダ管）、
２４，２４ａ〜２４ｃ：仕切り板、
２５：入口管、２６：出口管、
３：扁平伝熱管、３ａ：端部、３ｂ：フィン付部、
３１：冷媒流路、３２：ケース部材、３３：インナーフィン、３４：空間部、
４：フィン、４１：貫通型フィン、４２：差込型フィン、４３：コルゲート型フィン、
５１：通風方向（空気の流れ）、
５２：冷媒の流れ、５２ａ：第１の流路、５２ｂ：第２の流路、５２ｃ：第３の流路、
５２ｄ：第４の流路、
５２１：旋回流（旋回上昇流）、５２２：流線、
５３：飽和域、５４：過熱ガス域。
【図１】
2015017738.tif 000003
【図２】
2015017738.tif 000004
【図３】
2015017738.tif 000005
【図４】
2015017738.tif 000006
【図５】
2015017738.tif 000007
【図６】
2015017738.tif 000008
【図７】
2015017738.tif 000009
【図８】
2015017738.tif 000010
【図９】
2015017738.tif 000011
【図１０】
2015017738.tif 000012
【図１１】
2015017738.tif 000013
【図１２】
2015017738.tif 000014
【図１３】
2015017738.tif 000015